Podtech/llm-jp-corpus-v4-ja_patent huggingface dataset:
(57)【要約】【課題】ステンレス等の難錆性金属で出来ていて、簡単に組立てられる墓セットを提供する。【解決手段】納骨室１と、当該納骨室１の上部開口面をおおう蓋２はビス止めされ、当該蓋２の上に溶接で止められている墓標３、ローソク立て４、線香立て５、それと当該墓標３に心棒でくるくる回るように固定されている花立て６、花立て７、からなる墓セットであってステンレス等の難錆性金属から出来ていて地震がきても倒壊しない、石材より軽いので又年月がたっても家名、施主名、物故者の文字等は石材のように読めなくなるような風化しません、材料も輸入する必要もなく国内で充分足ります又工作機械は世界に誇る技術でこの特許取得したいと思います。【選択図】図２
2009052380.tif 000002
【特許請求の範囲】
【請求項１】
納骨室１と、当該納骨室１の上部開口面をおおう蓋２と、当該蓋２の上に起立する墓標３とローソク立て４、と線香立て５、と花立て６、と花立て７、が全て難錆性金属からなる墓。
【請求項２】
納骨室１の下は全て内側に曲げてあり当該納骨室１の上部開口面をおおう蓋２は当該蓋２から当該納骨室１にビス止めされる。
【請求項３】
納骨室１の上部開口面をおおう蓋２の上に起立するローソク立て４、と線香立て５は溶接して固定する、その前にローソク焚いたゴミ線香焚いたゴミが取れるようにする為、波状に削ってから溶接する。
【請求項４】
納骨室１の上部開口面をおおう蓋２と当該蓋２の上に起立する墓標３と当該墓標３に花立て６、と花立て７、に溜まった水を空ける為、クルクル廻るように当該墓標３に心棒で固定する。
【発明の詳細な説明】
【技術分野】
【０００１】本発明は供養追善のため、墓及び墓に供えられる、ローソク、線香、花などの器具を一体にした、詳しくは金属製からなる墓セットに関する。
【背景技術】
【０００２】従来、墓は石材からなるものが殆どで、地震がくると必ず倒壊します、その倒壊を防ぐ為に難錆性金属で考案しました。
【発明の開示】
【発明が解決しようとための課題】
【０００３】上記従来の墓の施工は、材料及び機械，機具を持込み大勢の石工等の専用職人によらなければならず大掛かりで費用がかかるものであった。
【０００４】また該墓は年月が過ぎると施主及び物故者の氏名等を読むのも困難である。
【０００５】そこで本考案は、金属製で簡単に組立てられる墓を提供し、もって上記課題を解決することを目的とするものである。
【課題が解決しようとための手段】
【０００６】本発明は、ステンレス等の難錆性金属からなる納骨室１と、納骨室１の上部開口面をおおう蓋２の止め方は蓋２から納骨室１へビス止めする。
【０００７】納骨室１、蓋２のビス穴は同じ処に空け蓋２のほうにはネジを切ってをき、蓋２にビスを付けてをく。
【０００８】本発明の納骨室１の下辺は内側に全て曲げ接着剤が塗れるようにしてをく。
【０００９】上部開口面をおおう蓋２の上部に墓標３、ローソク立て４、線香立て５を溶接で止める。
【００１０】墓標３に花入れ６、と花入れ７が，心棒で固定されている。
【００１１】本発明の墓の基礎は需要者が納骨室１に合わせてのモルタルをぬり、納骨室１の底内側に曲げてあるところに接着剤を塗ってとめる墓である。
【００１２】更に前期の納骨室１と蓋２がビス止めのところで分解されて接着剤を入れて１セットとして梱包されてなる。
【発明の効果】
【００１３】以上構成に基つき、納骨室１と蓋２に分解されそれに接着剤を入れ梱包された状態で需要者に送られ、需要者によって蓋２から納骨室１にビス止めして、完成する。
【００１４】１度作れば一生もちます、地震がきても倒壊しません、又資源の無駄を防げます。
【発明を実施するための最良の形態】
【００１５】以下［図１］平面図と［図２］立面図と［図３］断面図に沿って本発明実施の形態について説明する。【００１６】本墓セットは図に示すようにＳＵＳ３０４ステンレス等の難錆性金属からなる納骨室１、上部開口面をおおう蓋２、墓標３、ローソク立て４、線香立て５、花立て６、花立て７、それに接着剤で全てです。【００１７】上部開口面をおおう蓋２に墓標３を溶接してあるから地震がきても倒壊しない。【００１８】納骨室１の下は下辺全て内側に曲げてあるのは、接着剤を塗って倒壊を防ぐ為だけでなく、納骨室１に水が入らない事も兼ねています。【００１９】納骨室１と、当該納骨室１の上部開口面をおおう蓋２と、当該蓋２から当該納骨室１にビス止めされている為当該納骨室１に水も入らなく倒壊もません。【００２０】ローソク立て４と線香立て５を蓋２に溶接する前にローソク、線香を燃やした後、燃えかすが取れるように波状に削ってから溶接する。【００２１】花入れ６と花入れ７は、汚れた水が空けられるようにする為、くるくる廻るように墓標３に心棒で固定されている。【００２２】そして、本墓セット分解されたコンパクトな状態なって梱包され、境内墓地、霊園、野墓地、及び墓所有者等の需要者送られる。
【産業上の利用可能性】
【００２３】本発明は、日本国内で生産しているステンレス及び工作機械の需要が増大する。
【図面の簡単な説明】
【００２４】
【図１】本発明の最良の実施の形態である墓セットの内容を示した平面図である。
【図２】立面及び溶接、心棒での固定を示した断面図である。納骨室１と、当該納骨室１の上部開口面をおおう蓋２を示した断面図である。
【符号の説明】
【００２５】１  納骨室１は骨を入れる処です。
２  蓋２は上部開口面をおおう蓋で、蓋２から納骨室１にビス止めする。
３  墓標３は需要者の名前、施主名、物故者の名前を書きます。
４  ローソク立て４はローソクを入れる。
５  線香立て５は線香入れる。
６  花入れ６は花を入れる処です。
７  花入れ７は花を入れる処です。
【図１】
2009052380.tif 000003
【図２】
2009052380.tif 000004
(57)【要約】【課題】  ボルトを後方より回転させることにより、クサビが前後し、調整板の開口角度を調整することにより、段板を水平に支持することができる段板角度調整具を提供する。【解決手段】  段板受材に取り付ける基板に、正面略Ｖ字形に形成した開口可能な調整板と、調整板内に設けたボルトとクサビによる調整具とからなる角度調整体を設け、ボルトを回転させることによりクサビを移動させ、調整板の開口角度を調整してなることを特徴とする段板角度調整具。【選択図】図１
2009052384.tif 000002
【特許請求の範囲】
【請求項１】
段板受材に取り付ける基板に、正面略Ｖ字形に形成した開口可能な調整板と、調整板内に設けたボルトとクサビによる調整具とからなる角度調整体を設け、ボルトを回転させることによりクサビを移動させ、調整板の開口角度を調整してなることを特徴とする段板角度調整具。
【請求項２】
基板に、角度調整体を２箇所設けたことを特徴とする請求項１記載の段板角度調整具。
【請求項３】
調整板の上面に段板を固定するための受板を設けてなることを特徴とする請求項１又は２記載の段板角度調整具。
【請求項４】
クサビを四角柱台形とすることを特徴とする請求項１、２又は３記載の段板角度調整具。
【発明の詳細な説明】
【技術分野】
【０００１】  本発明は、階段の段板（踏板）の角度を調整するための段板角度調整具に関するものである。
【背景技術】
【０００２】  従来の技術として、階段の各段板を構成するように階段桁に設置され得る段板装置において、前記階段桁に対して取り付けられる段板本体と、前記段板本体と前記階段桁との間に設けられる支持部とを備え、前記階段桁に対する前記段板本体の角度を可変とした段板装置がある。（特許文献１参照）【０００３】  また、別の従来技術として、一対の側板と、その一対の側板に揺動可能に取り付けられる複数個の踏板と、その一対の側板の内側に固定される複数個の固定部材と、その固定部材に変位可能に取り付けられるものであって各踏板を下から踏板に接触して支える複数個の支持部材とを有し、設置時に前記支持部材を固定部材に対して変位させて側板に対する踏板の位置関係を変化させることを可能としたことを特徴とする階段がある。（特許文献２参照）
【特許文献１】  特開２００７−９２３１１号公報
【特許文献２】  特開平８−１５１７５１号公報
【発明の開示】
【発明が解決しようとする課題】
【０００４】  上記前者においては、構造が複雑であると共に、ネジ部２３に螺合するナット２５によって位置決めしているが、作業性（側方からナット２５を締める）が悪い。【０００５】  また、上記後者においては、ボルト２０の上面（端面）のみで踏板１２を支持しているため、踏板１２に食い込む可能性があり、精度が保てなくなる。【０００６】    本発明は、このような従来の構成が有していた問題を解決しようとするもので、ボルトを後方より回転させることにより、クサビが前後し、調整板の開口角度を調整することにより、段板を水平に支持することができる段板角度調整具を提供することを目的とする。
【課題を解決するための手段】
【０００７】  本発明は、上記の目的を達成するために、段板受材に取り付ける基板に、正面略Ｖ字形に形成した開口可能な調整板と、調整板内に設けたボルトとクサビによる調整具とからなる角度調整体を設け、ボルトを回転させることによりクサビを移動させ、調整板の開口角度を調整してなる。
基板に、角度調整体を２箇所設けた。
調整板の上面に段板を固定するための受板を設けてなる。
クサビを四角柱台形とすることを特徴とする。
【発明の効果】
【０００８】１）、基板と角度調整体と受板との構成で、特にボルトを後方より回転することにより、クサビが前後し、調整板の開口角度を簡単・容易に調整することができ、段板を水平に支持することができる。
２）、基板に、角度調整体を２箇所設けることにより、微妙な角度調整が可能である。
３）、開口可能な調整板を正面略Ｖ字形に形成することにより、強度的にも問題なく、二等辺三角形状Ｓに荷重ＫＺを受けるため、均一に荷重ＫＺを受けることができる。
４）、クサビを四角柱台形にすることにより、前後の移動をスムーズに行うことができると共に、確実に荷重を受けることができる。
【発明を実施するための最良の形態】
【０００９】  １は、段板角度調整具である。
２は、鉄板等による長方形状の段板受材に取り付ける基板で、少なくとも四隅に固定孔２ａを穿設してある。
３は、鉄板等を折曲して先端にナット３ａ１を固着した正面略Ｖ字形に形成した開口可能な調整板３ａと、調整板３ａ内に設けた上記ナット３ａ１に螺設するボルト３ｂと、ボルト３ｂに装着した木製等による四角柱台形のクサビ３ｃによる調整具３ｄとからなる角度調整体である。
４は、上記調整板３ａの上面に一体的に固着してなる段板を固定するため、鉄板製等による少なくとも四隅に取付孔４ａを穿設してなる受板である。【００１０】  上記段板角度調整具１の作動状態について下記に説明する。
ボルト３ｂを後方からボックスレンチＢＲを使用してボルト３ｂを前方（後方）に移動させることにより、クサビ３ｃが前進し、調整板３ａを開口Ｋさせることにより、受板４の角度を調整するものである。【００１１】  つぎに、段板角度調整具１の使用状態を説明する。
まず、２本の段板受材ＤＵの所要位置（所要ピッチ）に段板角度調整具１を基板２の固定孔２ａよりビスＢＳ止めにて固定する。
その後、受板４の上面に段板ＤＢを置き、取付孔４ａ…よりビスＢＳ１にて取り付け（固定）する。
この状態で、段板ＤＢを水平に保持すべく、調整具３ｄのボルト３ｂを回転させ、クサビ３ｃを前後させ、調整板３ａの開口Ｋを調整することにより段板ＤＢを水平に保持するものである。【００１２】  なお、上記実施例において、各部材の材質や大きさ等は必要に応じて決めればよい。
【図面の簡単な説明】
【００１３】
【図１】  本発明の一実施例を示す段板角度調整具の一部縦断正面図。
【図２】  本発明の一実施例を示す段板角度調整具の平面図。
【図３】  本発明の一実施例を示す段板角度調整具の作動状態を示す一部縦断正面図。
【図４】  本発明の一実施例を示す段板角度調整具の使用状態を示す一部縦断正面図。
【図５】  本発明の一実施例を示す段板角度調整具の使用状態を示す平面図。
【符号の説明】
【００１４】１−−−段板角度調整具
２−−−基板
２ａ−−固定孔
３−−−角度調整体
３ａ−−調整板
３ａ１−ナット
３ｂ−−ボルト
３ｃ−−クサビ
３ｄ−−調整具
４−−−受板
４ａ−−取付孔
ＢＲ−−ボックスレンチ
Ｋ−−−開口
ＤＵ−−段板受材
ＢＳ−−ビス
Ｓ−−−二等辺三角形状
ＫＺ−−荷重
ＤＢ−−段板
【図１】
2009052384.tif 000003
【図２】
2009052384.tif 000004
【図３】
2009052384.tif 000005
【図４】
2009052384.tif 000006
【図５】
2009052384.tif 000007
(57)【要約】【課題】    男子用便器の床の汚れを軽減する課題を解決すること。【解決手段】    男子用便器使用者の手が男子用便器本体に触れそうな部分をカットすることにより、この課題を解決する。【選択図】図３
2009052381.tif 000002
【特許請求の範囲】
【請求項１】
男子用便器を使用する際、使用者の手が便器に触れる部分をカットすることを特徴とする。
【発明の詳細な説明】
【技術分類】
【０００１】  本発明は、男子用便器関するものであり、便器の使用者が便器に手が触れにくくしたものである。
【背景技術】
【０００２】  従来から、男子用便器は尿が床にたれて、床が汚れることがありました。
【特許文献】  特に知らない。
【非特許文献】  特に知らない。
【発明の開示】
【発明が解決しようとする課題】
【０００３】  これは使用者が便器に向かって半歩前へ前進しようとすると、使用者の手が便器に触れそうになり（図１）、手が汚れてしまう圧迫感があるので、前進しないまま放尿してしまう（図２）ことが原因でした。
【課題を解決するための手段】
【０００４】  この課題を解決するための請求項１の発明は、男子用便器の使用者の手が便器に触れそうな部分をカットし、圧迫感を取り除いて使用者が半歩前進しても手が触れない安心感を与える効果が期待できる。
【発明の効果】
【０００５】  本発明により、便器の床に尿滴をこぼす使用者が減少し掃除が楽になる。
【発明を実施するための最良の形態】
【０００６】  図１は従来の男子用便器の一般的な形状であり、使用者の手が便器に触れそうな状況を描いた図である。【０００７】  図２は図１の使用者が便器に手が触れる圧迫感を敬遠して便器から離れて放尿する状況を描いた図である。【０００８】  図３は使用者が便器に接近しても手が便器に触れそうな部分をカットしてあるので、使用者が安心して前進し放尿している状況を描いた図である。
【産業上の利用可能性】
【０００９】  本発明に掛かる男子用便器は、工業的に量産する事が可能であるため、産業上の利用可能性を有する。
【図面の簡単な説明】
【００１０】
【図１】  従来の男子用便器に使用者の手が便器に触れそうな図である。
【図２】  従来の男子用便器に使用者の手が便器に触れるのを敬遠して遠くから放尿している図である。
【図３】  男子用便器の使用者の手が便器に触れそうな部分をカットした便器の図である。
【符号の説明】
【００１１】  １      男子用便器本体
２      男子用便器使用者の手が男子用便器本体に触れそうな部分
３      男子用便器使用者の手
４      男子用便器使用者の手が男子用便器本体に触れそうな箇所をカットした部分
【図１】
2009052381.tif 000003
【図２】
2009052381.tif 000004
【図３】
2009052381.tif 000005
(57)【要約】【課題】自動車を例にとると、速度制御にオートマチックギヤーチェンジや、トロイダルＣＶＴ等があったが、色々問題点あった。オートマチックギヤーチェンジは重量とギヤー摩擦が大きく歯車数を減らせば加速時にショックが生じる。トロイダルＣＶＴは大型車両に対しては機械的構造から使用が不可能であった。【解決手段】第三の速度制御システムとして油圧を取り入れることとしポンプとモーターをセットとしポンプの容量を変化させモーターの回転を増減することとした。ポンプ、モーターは半球の形状をし合わせて球状のカバーにて覆い轍を中心に回転する回転ポンプで、半球の面に当たるところの角度を変化させてポンプ容量を増減させる事ができる。【選択図】図1
2009052722.tif 000002
【特許請求の範囲】
【請求項１】
油圧ポンプと油圧モーターを1セットとして、その油圧ポンプの容量を自在に変換させて油圧モーターの回転数を増減する、油圧による無段減速機。
【請求項２】
回転軸に対して直角に交わるポンプ容器の面の角度を変えることによって油圧ポンプの容量を変化させる、請求項1記載の油圧による無段減速機。
【請求項３】
油圧モーターと油圧ポンプは、中空の球体の容器の中に内蔵させてある、請求項2記載の油圧による無段減速機。
【請求項４】
油圧モーターと油圧ポンプは回転子に直結する回転軸と仮想回転軸によって回転する隔壁からなる回転ポンプである、請求項3記載の油圧による無段限減速機。
【請求項５】
油圧ポンプと油圧モーターの中間帯に、上死点と下死点を通る可動隔壁を設けポンプとモーターの作動油を循環させる、請求項4の油圧による無段減速機。
【発明の詳細な説明】
【技術分野】
【０００１】
本発明は、大型車両はもとより油圧作動機、船舶、電動車両、自転車、など速度の減加速を必要とする機械に関する。
【背景技術】
【０００２】
油圧プレスの場合、ポンプにて供給された作動油で畜圧タンクを加圧しその作動油の移動にてピストンシャフトを可動させていた。
【０００３】
自動車では、ギヤ一による減速が主流で他にホイール対ベルトの減速機と近年、トロイダルC VTが車両の減速機として使用されている。
【０００４】
トロイダルCVT以外の減速機は機械的な摩擦が大きくエネルギーロスが大きい。
【０００５】
またトロイダルC VTは機械の構造からオイルに含まれる不純物に弱くまた、負荷に対しても限界があった。
【特許文献１】特開平１１−３０３９６９
【特許文献２】特開２００４−６８９３３
【発明の開示】
【発明が解決しようとする課題】
【０００６】
解決使用とする問題点は、伝達効率を良くして大出力の動力を容易に出力側に伝達し、設計の段階で巨大車両から自転車まで無段限減速機とすることは困難であった。
【０００７】
機械的に減加速をするには摩擦面にむらが生じ減速機の破損につながっていた。
【０００８】
本発明は油圧ポンプと油圧モーターを組み合わせる事から始まっているが、従来のポンプ類を使用していたのでは摩擦面の問題が克服出来なかった。
【課題を解決するための手段】
【０００９】
無段減速機を可能にするための条件は、入力側の回転軸から出力側の回転軸に違った回転数を伝達することにある。そのためにどうしても化学反応で言う触媒に当たるものが必要となる。
【００１０】
摩擦面を不動のものとして機械的損傷を避けなくてはならない。そこで摩擦面（図１の６と５の間）と滑帯面（図２の１と５の間）を分け、滑帯面のみ可動させることで耐久性を持たせた。
【００１１】
次に図面に基づいて成り立ちを説明すると、本体はポンプ部分とモーター部分を内蔵していて1ポンプ容器は球形をしている。
【００１２】
3ポンプ側の回転軸と11モーター側の回転軸は直線上にあり10の軸受けに固定されている。
【００１３】
形状そのものはポンプもモーターも同様であるが、ポンプ側はポンプ容量を変動させるために6の可動分離帯は、9ポンプ容量増減設定盤固定軸に固定されていて20の油圧ピストン又はピニオンギヤ一等にて角度を変化させる。そこでピストンの上死点と下死点の間隔を変化させポンプ容量を変化させる。
【００１４】
ポンプは回転ホンプで3のシャフトに設置された4油圧ポンプピストン分室壁設置用回転子、5ピストン分室壁、8の中心球体から成り立っている。
【００１５】
問題となる滑帯面は6のポンプ容量設定盤と5のピストン分室壁との摩擦面であるが、ポンプ容量を変えても摩擦面は変わらず摩擦面が局部的に磨耗すると言うことがない。
【００１６】
1のポンプ容器と8の中心球体との5ピストン分室壁の摩擦面は、シールの設置面のみの摩擦面であり磨耗損傷はきわめて少ない。
【発明の効果】
【００１７】
以上述べたように、摩擦の大きい滑帯面を不動面積として変動面は摩擦が少ない滑帯面とすることにより、耐久性を向上させる。
【００１８】
動力シャフトと、5のピストン分室壁の持つ仮想回転軸から発生する、完全回転ピストンの利点である回転方向に往復運動動力が変化する可動死点である事。
【００１９】
油圧ポンプとモーターを一体化することでポンプ効果と吸引効果をも動力として利用できる。
【００２０】
また、完全密閉の利点からアンチロックブレーキの代わりにエンジンブレー キを利用した制動作用が期待できる。他に強制差動機、新型のエンジン、コンプレッサーにも応用出来る。
【発明を実施するための最良の形態】
【００２１】
自動車に使用した場合、始動時には本発明の最大の特徴であるエンジン回転とは無関係でゼロスタートが出来る。
【００２２】
また停止時にはポンプ内の圧力がゼロである事からオートロックシステムも可能でサイドブレーキのかけ忘れと言ったミスもなくすことが出来る。
【００２３】
特に本発明は巨大車両に使用できるため車両の始動時のエンジンに対する負荷がはとんど発生しないことである。
【００２４】
発熱に対してはポンプ容器を冷却するか作動油を熱交換機へ循環させることで押さえる事ができる。
【図面の簡単な説明】
【００２５】
【図１】本発明の見取り正面図
【図２】本発明の見取り側面図
【符号の説明】
【００２６】
1 ポンプ容器
2 ポンプ台座
3 動力入力側シャフト
4 油圧ポンプピストン分室壁設置用回転子
5 ピストン分室壁
6 ポンプ容量増減設定盤
7 可動分離壁
8 中心球体、
9 ポンプ容量増減設定盤固定軸
10 軸受け
11 動力出力側シャフト
12 油圧モーターピストン分室壁設置用回転子
13 可動分離壁相方
14 油圧モーター容量設定盤
15作動油導孔
16 油圧ポンプ作動油導溝
17 油圧モーター作動油導孔
18油圧モーター作動油導孔
19油圧モーター作動油導孔
20 ポンプ容量増減設定盤可動用油圧シリンダー
21 可動分離壁スライド用遊び
【図１】
2009052722.tif 000003
【図２】
2009052722.tif 000004
(57)【要約】【課題】エンジンの静電気発生によるピストンの摺動抵抗を減少させて燃料消費量を削減させる。【解決手段】エンジンの冷却系の水、不凍液中に、かつおを煮詰めた原液とブラックシリカの水溶液との混合液（原液１０：ブラックシリカ水溶液３）を混合液５リットルに対し１５０〜２００ｃｃ程度混入せしめ、エンジンのシリンダとピストン間に発生するプラスの静電気を混合液から出るマイナスイオンで中和し、それらの摺動抵抗を減少させることにより燃料消費量を５〜２０％削減する。【選択図】図１
2009052461.tif 000002
【特許請求の範囲】
【請求項１】
エンジンの冷却系内を循環する冷却液中にマイナスイオンおよび遠赤外線のうち、少なくともマイナスイオンを発生する液体を混合せしめて燃料消費量を削減するようにしたエンジンの燃料消費量削減方法。
【請求項２】
エンジンの冷却系内を循環する冷却液中に混入され、エンジンの燃料消費量を削減するための液体であって、この液体はかつおを煮詰めた原液とブラックシリカの煮沸液との混合液であるエンジンの燃料消費量削減液。
【請求項３】
前記液体に、ひの木の樹脂とトルマリンの水溶液を添加した請求項２記載のエンジンの燃料消費量削減液。
【請求項４】
前記原液とブラックシリカの煮沸液との重量比は１０：３である請求項２記載のエンジンの燃料消費量削減液。
【発明の詳細な説明】
【技術分野】
【０００１】
本発明は、自動車のエンジンの冷却系を利用してエンジン内で静電気の発生を防止するようにしたエンジンの燃料消費量削減方法及びエンジンの燃料消費量削減液に関する。  
【背景技術】
【０００２】
自動車のエンジンの冷却系内の水を改質することによって燃費を改善する技術が特開２００６−１８１５３２号に開示されている。この技術はラジエターの水を土の焼成物のＡｌ２Ｏ３、Ｂ２Ｏ３、ＳｉＯ２等で処理して水を活性化させ、このように活性化された水はエンジンの熱を早く放出或いは吸収してラジエターの水を早く適正水温に到達させることができ、この結果、自動車の燃費が従来に比べ著しく向上する。
【特許文献１】特開２００６−１８１５３２
【発明の開示】
【発明が解決しようとする課題】
【０００３】
前記自動車の燃費向上技術は、ラジエターの水の改質によってエンジンの熱の放出、吸収を早く行なうものであるが、エンジンのシリンダとピストン間に発生する摩擦による静電気がピストンの摺動に対する抵抗となっていることに着目したものでなく、前記静電気による抵抗を小さくすることができない。
【課題を解決するための手段】
【０００４】
そこで、本発明のエンジンの燃料消費量削減方法は、エンジンの冷却系内を循環する冷却液中にマイナスイオンおよび遠赤外線のうち、少なくともマイナスイオンを発生する液体を混合せしめて燃料消費量を削減するようにした。
【０００５】
また、本発明のエンジンの燃料消費量削減液は、エンジンの冷却系内を循環する冷却液中に混入され、エンジンの燃料消費量を削減するための液体であって、この液体はかつおを煮詰めた原液とブラックシリカの煮沸液との混合液である。
【０００６】
また、前記液体に、ひの木の樹脂とトルマリンの水溶液を添加してもよい。
【０００７】
また、更に、前記原液とブラックシリカの煮沸液との重量比は１０：３であることが好ましい。
【発明の効果】
【０００８】
マイナスイオンを発生する液体を混入せしめた冷却液はエンジン周りを循環する際にピストンとシリンダ間に発生するプラスのイオンを中和し、駆動抵抗を減らして燃料消費量を削減する。また、マイナスイオンに加えて遠赤外線を発生せしめるようにすれば冷却液が活性化され冷却液としての作用が増大し、燃料消費量がより減少する。
【０００９】
マイナスイオンを発生する液体としては、かつおを煮詰めた原液とブラックシリカの煮沸液との混合が実験上最も好ましく、その比率は重量比で１０：３が好ましい。更に、防腐剤としてひの木の樹脂を加えると長期保存が可能となるし、マイナスイオンの補助発生剤としてトルマリンの水溶性を加えればより静電気の中和効果が増大する。
【発明を実施するための最良の形態】
【００１０】
以下、図面を参照して本発明の実施のための最良の形態について説明する。
【００１１】
図１において、エンジン１には、シリンダ２が設けられ、このシリンダ２内には、ピストン３が往復動可能に収納され、ピストン３とシリンダ２間には潤滑油が介在してるが、ピストン３駆動時に両者間に摩擦によるプラスの静電気が発生する。前記エンジン１には、それを冷却するために不凍液、水等の冷却液を循環させるための循環路４、４…４が穿設され、この循環路４はラジエター５に連なっており、ラジエター５には水、不凍液等の冷却水を供給するための開閉キャップ６が設けられている。この冷却水中には、冷却水５リットルに対して１５０〜２００ｃｃ程度のマイナスイオンを発生する液体が開閉キャップ６を開けて混入されている。この液体は冷却水と混合して循環路４内を循環するが、シリンダ２の周囲を通過する時にエンジン内で発生するプラスの静電気を中和してピストン３の摺動抵抗を減少させ、これによって燃料消費量を５〜２０％程度削減できる。
【００１２】
なお、前記マイナスイオンを発生する液体は同時に遠赤外線を放射するものであってもよく、この遠赤外線は前記液体を活性化させることにより冷却液の作用を増大させてエンジンの燃焼効率を向上させ燃費削減に寄与する。
【００１３】
前記液体としては、かつおを丸ごと数時間煮てそのエキスを出したものの上澄液にブラックシリカを粉砕煮沸して水溶液としたものをかつおエキスに対して３０％程度を混入したものが最適である。なお、この液には防腐作用を有するひの木のエキス（樹脂）を数％混入することが好ましく、マイナスイオンの補助剤としてトルマリンの水溶液を数％混入させてもよい。
【産業上の利用可能性】
【００１４】
本発明は、自動車、その他の内燃機関であってエンジンの冷却系に水、不凍液等の冷却液を使用するあらゆる分野に適用可能である。
【図面の簡単な説明】
【００１５】
【図１】エンジンの冷却系を示す図である。
【符号の説明】
【００１６】
１…エンジン
２…シリンダ
３…ピストン
４…循環路
５…ラジエター
６…開閉キャップ
【図１】
2009052461.tif 000003
(57)【要約】      （修正有）【課題】石炭に高温高圧下に於いて水素ガスを反応結合させ、反応を促進するため触媒や石炭の流動性をよくするごとく薬液等を添加して石炭を液化した石炭溶液の製造法を提供する。【解決手段】液化溶解せんとする石炭に、性質、性状を吟味した薬液を混合しまたはガスの添加し加熱、加圧することのみで容易に石炭溶液とする。【選択図】なし【特許請求の範囲】
【請求項１】
工程としては原料石炭にこれの溶剤となるべき薬剤またはガスを加圧可能な反応容器、通称オートクレーブまたは、同様な機構性能を有する反応装置に装填して所定の温度、圧力、時間で加熱し、容器を振濤して反応を所定時間継続後冷却し常温常圧状態にし反応を終了する。
この反応時には製造法の種類により反応容器内空間を満たす気体の種類をことにする
【請求項２】
請求項１の反応操作においては触媒は全く添加しない。
【請求項３】
本操作により得られた石炭溶液は薬剤に不溶性の石炭本来の灰分や、薬剤の石炭量に対し過小による不溶の石炭である。
【請求項４】
請求項３によってえられた分離した石炭液に反応にもちいたた薬剤以外の薬剤を添加することにより先に溶解していた石炭を析出せしめる。
精製石炭の製造。
【請求項５】
本操作により得られた石炭溶液を性状性質ごとに検出分離して燃料、燃料以外の誘導体の製造に共しうる。
【発明の詳細な説明】
【技術分野】
【０００１】本発明は薬剤をもちいての石炭溶液の製造に関するものである。
【背景技術】
【０００２】従来の液化技術は高温高圧化下で触媒を使用し水素ガスを添加する水添法がおこなわれている。
【特許分献】
特許出願平９−０６８３７
【発明の開示】
【発明が解決しようとする課題】
【０００３】従来の液化法の触媒並びに水素ガスを使用せず液化せんとするものである。
【発明を実施するための裁量形態】
【実施例】
【０００４】３０〜５０メッシュに粉砕し乾燥した瀝青炭と薬剤テトラリンを約１：５の重量比に混合してステンレス製内容３００ｍｌの縦型高温高圧反応器オートクレーブにとり、内容空間を不活性気体で置換し、予め４００℃附近にしておいた電気炉に挿入し約６０回／分の割合で左右に電気炉ごと振騰し反応を促進せしめ、約３０分後・オートクレーブ内の温度３８０℃、１６０〜２００気圧に達すれば加熱、振騰をやめ水で急冷する、約１０分を要する。
常温常圧後内容をとりだせば試料石炭の完全溶解テトラリン溶液がえられる。【０００５】［０００４］に於いてテトラリンに代えて沸点３８０℃の潤滑油とし、不活性ガスをエチレンガスにかえて同様に操作反応を行えば原炭の９０〜９５％を液化することがかのうである。
【産業上の利用の可能性】
触媒を使用しない本発明は工程がシンプルであり水素ガスを使用しないことから燃料並びに石炭からの誘導体の製造に有益である。
(57)【要約】【課題】  光熱費の削減及び地球温暖化の原因となっている大気への熱負荷を軽減する空気調和機の室外機を提供する。【解決手段】  複数枚並設されているアルミニウムフィンに蛇行状に貫通している伝熱管と伝熱管の内部に水道水を送水するための水道水入口及び水道水出口とで構成されている熱交換器コイル８を、吹き出し口２の前面にくの字型に傾斜させて設けると共に、熱交換器コイル８の左右の側面及び天上面を透明体１４で囲み、室外機のファン７だけを、単独に低速回転による運転ができる制御回路を、設けたことを特徴とする空気調和機の室外機である。【選択図】図１
2009052872.tif 000002
【特許請求の範囲】
【請求項１】
複数枚並設されているアルミニウムフィンに蛇行状に貫通している銅製の伝熱管と伝熱管の内部に水道水を送水するための水道水入口及び水道水出口とで構成されている熱交換器コイルを、吹き出し口の前面にくの字型に傾斜させて設けたことを特徴とする空気調和機の室外機。
【請求項２】
熱交換器コイルの左右の側面及び天上面を、透明体で囲んだことを特徴とする空気調和機の室外機。
【請求項３】
室外機のファンだけを、単独に低速回転による運転ができる制御回路を設けたことを特徴とする空気調和機の室外機。
【発明の詳細な説明】
【技術分野】
【０００１】  本発明は、光熱費の削減及び地球温暖化の原因となっている大気への熱負荷を軽減することを図った空気調和機の室外機に関するものである。
【背景技術】
【０００２】  従来の空気調和機の室外機は、冷房運転において外気を吸い込み口側の熱交換器により加熱し、加熱した外気はファンによって、熱風となり吹き出し口から大気中へ放出していた。
【発明の開示】
【発明が解決しようとする課題】
【０００３】  そのために次のような問題点があった。
（イ）空気調和機の室外機の冷房運転において、吹き出し口から放出される熱風は、大気温度を上昇させ地球温暖化の原因の１つになっている。
（ロ）空気調和機の室外機の冷房運転において、吹き出し口から放出される熱風を有効利用していない。
（ハ）空気調和機の室外機のファンを有効利用していない。
本発明は、これらの問題点を解決するためになされたものである。
【課題を解決するための手段】
【０００４】  複数枚並設されているアルミニウムフィンに蛇行状に貫通している伝熱管と伝熱管の内部に水道水を送水するための水道水入口及び水道水出口とで構成されている熱交換器コイルを、吹き出し口の前面にくの字型に傾斜させて設けると共に、熱交換器コイルの左右の側面及び天上面を透明体で囲み、室外機のファンだけを単独に低速回転による運転ができる制御回路を設けたことを特徴とする空気調和機の室外機である。
【発明の効果】
【０００５】  従来使用の空気調和機の室外機より、地球温暖化の原因となっている大気への熱負荷の放出を軽減すると共に、室外機から放出される熱風を有効利用することにより、浴槽の追い焚きの光熱費の削減及び大気への熱負荷の軽減になる。
また、熱交換器コイルの左右の側面及び天上面を透明体で囲むことにより、太陽熱を効果的に熱交換器コイルに集熱し、熱交換器コイルの伝熱管内部の水道水の水温を上昇させてから浴槽へ使用するので追い焚きの光熱費の削減になる。
【発明を実施するための最良の形態】
【０００６】  以下、本発明の実施するための形態を図１〜図４に基づいて説明する。【０００７】  空気調和機の室外機は、第１図に示すような構成になっている。
室外機本体１の内部には吹き出し口２を境に、熱交換器室３と熱交換器コイル室４に区画されている。熱交換器室３には、熱交換器５とファンモーター６の運転により回転するファン７があり、圧縮機と制御回路がある。熱交換器コイル室４には熱交換器コイル８があり、熱交換器コイル８は第１図及び第２図に示すように、吹き出し口２の前面にくの字型に、傾斜してベース９の上に設けられていて、熱交換器コイル８の左右の側面及び天上面は、透明体１４で囲まれている。熱交換器コイル８は、第３図に示すような構成になっている。複数枚並設されているアルミニウムフィン１０に蛇行状に貫通している銅製の伝熱管１１と伝熱管１１の内部に水道水を送水する為の水道水入口１２及び水道水出口１３がある。この様な構成された室外機１で、冷房運転において、第１図に示すように、ファンモーター６が起動してファン７の回転により、外気は矢印の方向へ進む。外気は、室外機内に吸い込まれ熱交換器５を通過することにより加熱され、熱風となって、熱交換器コイル８へ送風される。熱交換器コイル８において、第４図に示すように、水道蛇口１５を開くと、外気温度より低い水温の水道水は配管１６を通り、熱交換器コイル８の水道水入口１２から伝熱管１１へ送水すると、水道水は伝熱管１１及びアルミニュウムフィン１０を冷却する。熱風は、冷却した伝熱管１１及びアルミニウムフィン１０に接触することにより、冷却され大気中へ放出するので、大気への熱負荷は軽減する。逆に、吹き出し口２の前面にくの字に傾斜して設けられている、熱交換器コイル８の伝熱管１１の内部の水道水は、熱風により温まる。温まった水道水は、配管１７を通り、給水出口１８より浴槽１９へ給水する。温まった水道水が、浴槽１９へ給水することにより、浴槽１９の追い焚きの光熱費の削減及び大気へ放出される熱負荷の軽減となる。
また、室外機を使用しない時、熱交換器コイル室４の室温が水道水温より高い場合、ファンモーター６を運転しファン７を低速回転すると同時に、熱交換コイル８の伝熱管１１へ水道水を水道蛇口１５より水道水入口１２へ送水することにより、伝熱管１１の内部の水道水は外気により温まり、水道水温は上昇する。水温が上昇した水道水を、給水出口１８より、浴槽１９へ給水することにより、浴槽１９の追い焚きの光熱費の削減及び大気への熱負荷の軽減となる。
【図面の簡単な説明】
【０００８】
【図１】空気調和機の室外機の断面図
【図２】熱交換器室及び熱交換器コイル室の斜視図
【図３】熱交換器コイルの斜視図
【図４】本発明の使用状態を示す斜視図
【符号の説明】
【０００９】  １本体
２吹き出し口
３熱交換器室
４熱交換器コイル室
５熱交換器
６ファンモーター
７ファン
８熱交換器コイル
９ベース
１０アルミニュウムフィン
１１伝熱管
１２水道水入り口
１３水道水出口
１４透明体
１５水道蛇口
１６配管
１７配管
１８給水出口
１９浴槽
【図１】
2009052872.tif 000003
【図２】
2009052872.tif 000004
【図３】
2009052872.tif 000005
【図４】
2009052872.tif 000006
(57)【要約】【課題】  出入口がバリアフリーである聴力検査用防音室を提供する。【解決手段】  水平に回動して開閉する扉１を備えた聴力検査用防音室であって、扉１の底面１ａには、室内に向かって高くなる傾斜が形成されると共に、扉１を閉めた状態で敷居部３と接合する帯状の弾性部材（ピンチブロック）２が３つ取り付けられ、敷居部３が扉１の底面１ａと平行である。【選択図】        図１
2009052280.tif 000002
【特許請求の範囲】
【請求項１】
水平に回動して開閉する扉を備えた聴力検査用防音室であって、前記扉の底面には、室内に向かって高くなる傾斜が形成されると共に、前記扉を閉めた状態で敷居部と接合する帯状の弾性部材が取り付けられ、前記敷居部が前記扉の底面と平行であることを特徴とする聴力検査用防音室。
【発明の詳細な説明】
【技術分野】
【０００１】
本発明は、回動式開閉扉を備えた聴力検査用防音室に関する。
【背景技術】
【０００２】
難聴をかかえる方の多くはお年寄りである。聴力の検査をするときは、聴力検査用防音室に入り、オージオメータを用いて検査をする。従来の回動式開閉扉を備えた聴力検査用防音室としては、図３に示すように、密閉させ防音効果を保つために扉１００の四方の内壁１０１にゴムパッキン１０２を取り付け、扉１００を閉じた状態では、扉１００の内壁１０１と防音室の外壁１０３でゴムパッキン１０２を押圧した状態にして音が漏れないようにしている。なお、図３は聴力検査用防音室の出入口下部を示す。
【発明の開示】
【発明が解決しようとする課題】
【０００３】
しかし、従来の回動式開閉扉を備えた聴力検査用防音室においては、扉１００の四方をゴムパッキン１０２で囲むため、出入口の外壁１０３に室外側の床面１０４から室内側の床面１０５に至る間に乗り越えなければならない段部１０６が形成されてしまう。そのため、出入口をバリアフリーにすることができないので、車椅子での入退室や足の不自由な方の入退室には支障がある。従って、車椅子で入退室する際には補助的にスロープなどを用いなければならないという問題がある。
【０００４】
本発明は、従来の技術が有するこのような問題点に鑑みてなされたものであり、その目的とするところは、出入口がバリアフリーである聴力検査用防音室を提供しようとするものである。
【課題を解決するための手段】
【０００５】
上記課題を解決すべく請求項１に係る発明は、水平に回動して開閉する扉を備えた聴力検査用防音室であって、前記扉の底面には、室内に向かって高くなる傾斜が形成されると共に、前記扉を閉めた状態で敷居部と接合する帯状の弾性部材が取り付けられ、前記敷居部と前記扉の底面を平行とした。
【発明の効果】
【０００６】
本発明によれば、車椅子で入退室する際にスロープなどを用いる必要がなくなり、出入口のバリアフリーを実現することができる。また、扉の底面と敷居部が平行で且つ傾斜しているので、弾性部材を敷居部や床に引きずることなく、円滑に扉を開閉することができる。
【発明を実施するための最良の形態】
【０００７】
以下に本発明の実施の形態を添付図面に基づいて説明する。ここで、図１は本発明に係る聴力検査用防音室の出入口下部の断面図、図２は同じく出入口左部の断面図である。
【０００８】
本発明に係る聴力検査用防音室は、図１及び図２に示すように、水平に回動して開閉する扉１と、扉１の底面１ａに扉１の幅方向に取り付けられた帯状の弾性部材２と、扉１の閉状態時に弾性部材２が接合するステンレス製の敷居部３と、扉１の左側面１ｂなど扉１の底面１ａ以外の３面に取り付けられたゴムパッキン４と、これらのゴムパッキン４が押圧状態で当接する外壁５などを備えている。
【０００９】
扉１の底面１ａには、室内に向かって高くなる傾斜が形成され、傾斜角αは約８度である。また、敷居部３にも扉１の閉状態時に扉１の底面１ａに対向する部位に傾斜が形成され、傾斜角βは約８度である。扉１の底面１ａと敷居部３は平行になっている。敷居部３の傾斜角βは、車椅子が通るのに障害にならない程度であればよく、約８度に限定されない。
【００１０】
弾性部材２としては、例えば帯状で断面が略Ｌ字形状のピンチブロック（登録商標）が用いられ、３本のピンチブロックが扉１の底面１ａにねじ６で取り付けられている。本発明の実施の形態では、ピンチブロックを用いているが、これに限らず、扉１の底面１ａと敷居部３との隙間７を塞ぐ帯状の弾性体であればよい。上述のように、扉１の底面１ａ以外の３面には、従来と同じく固体音伝搬を防ぐためゴムパッキン４が取り付けられている。
【００１１】
聴力検査用防音室の室内床面１０は、敷居部３の室内側上端３ａと同じ高さである。聴力検査用防音室は組立式で、設置場所の床１２を掘り下げて、聴力検査用防音室の室外側上端３ｂが、室外床面１１とほぼ同じ高さになるように設置する。室外床面１１の水平の精度を考慮して、室外床面１１が敷居部３の室外側上端３ｂより０．５〜１ｃｍ程度低い位置になるようにしてもよい。聴力検査用防音室と室外床面１１の間には、振動の伝搬を防ぐためゴムパッキン１４を嵌挿して隙間１５を埋めている。
【００１２】
以上のように構成した本発明に係る聴力検査用防音室の動作について説明する。扉１を閉めると、ピンチブロック２が敷居部３に押圧されて敷居部３に密着し、扉１の底面１ａと敷居部３との隙間７が塞がれる。この状態で十分な防音効果が得られる。また、扉１を開くと、扉１は水平に回動するので、扉１の底面１ａと敷居部３との間の距離は回動と同時に広がり、ピンチブロック２を敷居部３に引きずることなく扉１を円滑に開くことができる。
【００１３】
また、室外床面１１と室内床面１０との間には、敷居部３により緩やかな傾斜面が形成されるので、車椅子での入退室を円滑に行うことができ、出入口のバリアフリーを実現することができる。更に、敷居部３がステンレス製であるので、見栄えがよくピンチブロック２との相性もよい。
【産業上の利用可能性】
【００１４】
本発明によれば、車椅子で入退室する際にスロープなどを用いる必要がなくなり、出入口のバリアフリーを実現した聴力検査用防音室を提供することができる。
【図面の簡単な説明】
【００１５】
【図１】本発明に係る聴力検査用防音室の出入口下部の断面図
【図２】本発明に係る聴力検査用防音室の出入口左部の断面図
【図３】従来の聴力検査用防音室の出入口下部の断面図
【符号の説明】
【００１６】
１…扉、１ａ…底面、１ｂ…左側面、２…ピンチブロック（弾性部材）、３…敷居部、４…ゴムパッキン、５…外壁、１０…室内床面、１１…室外床面。
【図１】
2009052280.tif 000003
【図２】
2009052280.tif 000004
【図３】
2009052280.tif 000005
(57)【要約】【課題】  近年注目されている自然エネルギーを駆動源とする発電システムの設置に於いて、最も重要な課題は、設置後における発電（回転）の可否にある。【解決手段】  本発明は、常に変動する不安定要素を持つ自然エネルギーに対し、長ネジ７とナット８及びカップリング５により、容易に連結可能な発電機ユニットを連結して発電することを特徴とする発電システムで、発電システム設置後の環境変化に対応するよう発電機ユニットの個数を増減させて、発電システムの構成に変更して環境に適合する出力に調整する。【選択図】図３
2009052514.tif 000002
【特許請求の範囲】
【請求項１】
統一規格の基に、角型のユニット筐体で、四隅に連結用貫通孔を持ち、各々の発電ユニットの先端、もしくは後端にそれぞれ嵌め合う、連結部を設けてなる発電機システム。
【発明の詳細な説明】
【技術分野】
【０００１】
本発明は、自然エネルギーの利用において、その環境に適合して出力を調整することができる発電システムに関する。
【背景技術】
【０００２】
最近、自然エネルギーの利用度が高まりつつあるが、それと同時に自然環境の状況把握に重点が集まり設置の可否について、様々なトラブルが発生している。
【０００３】
従来は、出力調整を行うには、電子回路による出力制御や機械的な出力制御が行われていたが、この場合、駆動力に余剰がある場合には、有効であるが、駆動力が不足している場合には、意味がない。
【０００４】
そのため、たとえば、風力発電機を設置した場合、風道に設置したものの思った様に強い風が吹かない。または、水力発電機を河川に設置した場合、予定より水量が減ってしまい、発電機を回転させるだけのトルクが得られずに、設置したが発電しないシステムなどが存在する。  相手が自然環境なだけに設置後の環境変化に対応することが困難である。
【特許文献１】特許公開平７−２１７５２６号公報
【発明の開示】
【発明が解決しようとする課題】
【０００５】
自然エネルギーを駆動源とする発電システムにおいて、最も重要な課題は、設置後に於ける環境変化に対応させ、発電（回転）の可否にある。
【課題を解決するための手段】
【０００６】
本発明は、発電機を規格ユニットに内蔵し、順序を考えず、どの様な組合せにおいても、完全に発電機の出力電圧、出力電力を、使用目的に合わせて、設定出来る様、組合せ自在なユニットの作製にある。
【０００７】
この方法に依れば、２ユニットの構成で設計されていた場合、駆動力不足ならば、１ユニットに個数を下げ、又、駆動力に余裕の有る場合には、３ユニットに連結し、余裕の有る出力を取り出す事が出来る。    この発明により、最も現場で要求される、最も重要な課題を解決する事が出来る。
【発明の効果】
【０００８】
本発明は、以上のとおりのものであるから、発電機の設置後、設置現場で自然環境を観ながら発電機のユニット構成を変更し、発電出力を調整することが出来る。
【発明を実施するための最良の形態】
【０００９】
本発明の図１の発電機ユニットを風力発電機及び水力発電機に図２のように２つ連結して搭載し、設置現場にて試験運転を行い、駆動力不足ならば、１ユニットに個数を下げて発電を可能とする。  また、駆動力に余裕の有る場合には、図１の発電機ユニットをさらに１つ連結し、３個のユニットにより余裕の有る出力を取り出すことが可能である。
【図面の簡単な説明】
【００１０】
【図１】本発明の発電機ユニットの側断面図である。
【図２】発電機ユニットの正面図。
【図３】２ユニットの連結状態を示す図である。
【符号の説明】
【００１１】
１    ユニット発電機の筐体
２    発電機の回転軸
３    発電機
４    ユニット筐体に四側面に施された固定台取付けネジ孔
５    次段ユニットへのカップリング
６    ユニット筐体の隅に設けられた筐体連結用貫通孔
７    ２つ以上のユニットを締め付ける貫通孔を通す長ネジ（ボルト）
８    ナット
【図１】
2009052514.tif 000003
【図２】
2009052514.tif 000004
【図３】
2009052514.tif 000005
(57)【要約】【課題】  物体が電磁気力で浮遊している様は、不思議で興味深い。本発明の目的は、電磁誘導を利用して磁石を浮遊させ、不思議な現象を見せることができる器具を提供することである。【解決手段】  磁石に吸引されず、電気伝導率の大きい物質で形成された円形の管の中に、ネオジム磁石等の強力な磁石を入れる。円形の管を回転させてやると、電磁誘導により磁石を管内で浮遊させることができる。【選択図】  図１
2009288514.tif 000002
【特許請求の範囲】
【請求項１】
磁石を吸引しない円形の導体管の内部に固定されていない磁石を入れ、円形の導体管の中心を支点として回転させることで、電磁誘導によって磁石を浮遊させる器具。
【発明の詳細な説明】
【技術分野】
【０００１】
本発明は物体が電磁誘導によって浮遊する様子が観察できる器具に関するものである。
【背景技術】
【０００２】
直線上の導体管の中を強力な磁石がゆっくりと落下する現象は知られている。磁石が導体管中を落下すると、導体管に誘導電流が流れるが、この誘導電流のつくる磁場の向きは磁石の落下を妨げる向きであるために、ゆっくりと落下する。
【特許文献１】実公平７−５３６７９号公報
【発明の開示】
【発明が解決しようとする課題】
【０００３】
物体が電磁気力で浮遊している様は、不思議で興味深い。本発明の目的は、電磁誘導を利用して磁石を浮遊させることができる器具を提供することである。
【課題を解決するための手段】
【０００４】
本発明の器具は、磁石に吸引されず、電気伝導率の大きい物質で形成された円形の管の中に、強力な磁石を入れたものである（図１参照）。円形の管を適切な速度で回転させてやると、電磁誘導により磁石を管内で浮遊させることができる。
【発明の効果】
【０００５】
前記構成の器具は、円管を回転させると、中に入っている磁石を浮遊させることができ、見ている人の興味を引くことができる。
【発明を実施するための最良の形態】
【０００６】
管の材質としては、アルミニウムや銅等の磁石に吸引されず、電気伝導率の大きい金属が適しており、管の断面は円形が望ましい。強力な永久磁石は球形のネオジム磁石等が適している。磁石が浮遊している様を外から観察できるようにするため、管を透明にするか、管に隙間を設けなくてはならない。透明で十分に電気伝導率の大きい物質は現在のところないので、管を網状にするか、図２のように管に隙間を設けたものが望ましい。ただし、管が回転を開始し、浮遊するまでは、磁石は管内を転がってから浮遊するので、磁石がなめらかに転がることができるものでなければならない。
【０００７】
動力源は特に限定しないが、室内のインテリア風の器具の場合は、太陽電池とモーターを組み合わせたものが良い。太陽電池の電力を十分に蓄えてから円管を回転させ、電力が不足してきたら停止させるような機構を持たせる。また、磁石が浮遊する回転速度は、一定の範囲に限られているために、円管の回転速度を調節するための機構も必要である。これらの機構は既存の技術で容易に実現できる。このタイプの利点は、電源の配線が不要でどこにでも置け、暗い夜間や就寝時は自動的に停止することになり、スイッチを切る必要がないことである。
【０００８】
また、動力を手動にし、磁石が浮遊する速度を自分で調節すること自体を楽しむような器具でもよい。理科実験教材や科学館等の展示物としては、このようなタイプが望ましい。
【産業上の利用可能性】
【０００９】
興味深い物理現象を見せるインテリア器具、電磁誘導の原理を説明するための教材、科学館等の展示物として利用可能である。
【図面の簡単な説明】
【００１０】
【図１】器具全体の概略正面図
【図２】隙間を設けた円管の概略正面図
【符号の説明】
【００１１】
１  磁石に吸引されず、伝導率の大きい物質で形成された円管
２  強力な永久磁石
３  円管の回転機構
４  円管の支持部材
５  円管と回転機構を支える支柱
６  支柱を支える台
１１  隙間を設けた円管
【図１】
2009288514.tif 000003
【図２】
2009288514.tif 000004
(57)【要約】【課題】物体の揺れ、あるいは、振動を測定する方法を提供する。【解決手段】本発明の方法は、電波の発信機と受信機を用いた揺れ、あるいは、振動の測定をする方法であって、被測定箇所に設置した電波の発信機と受信機間の電波の強さの変化により、揺れ、あるいは、振動の測定する事を特徴とする方法である。【特許請求の範囲】
【請求項１】
電波の発信機と受信機を用いた揺れ、あるいは、振動を測定する方法であって、被測定箇所に設置した電波の発信機と受信機間の電波の強さを測定する事を特徴とする揺れ、あるいは、振動の測定方法。
【発明の詳細な説明】
【技術分野】
【０００１】本発明は物体の揺れ、あるいは、振動を測定する方法に関する。
【背景技術】
【０００２】物体に加わる揺れ、あるいは、振動を測定する方法として、マイク、歪みセンサー、加速度センサー等を使用した方法が知られている。【０００３】しかし、これらの方法には、雑音を受けやすい、離れた箇所や異なる物体間の測定が困難である、装置が大型になる、比較的緩い揺れや振動の測定に無向きであるという課題がある。
【発明の開示】
【発明が解決しようとする課題】
【０００４】本発明はかかる従来方法の課題に鑑みなされたものであって、容易に、揺れ、あるいは、振動の測定ができる測定方法を提供することを目的としている。
【課題を解決するための手段】
【０００５】本発明は被測定箇所に電波発信機と受信機を設置し、箇所間の電波の強さの変化により被測定箇所の振動、あるいは、揺れの測定する事を特徴とする方法である。
【発明の効果】
【０００６】本発明によれば、離れた箇所や異なる物体間の振動、あるいは、揺れが測定できる。【０００７】本発明によれば、被測定箇所を動かしていくことにより、箇所間で相対的に振動、あるいは、揺れが発生していない箇所を探すことができる。【０００８】本発明によれば、比較的小型で簡便に、比較的ノイズの影響が少なく振動、あるいは、揺れが測定できる。【０００９】本発明によれば、比較的緩い振動や揺れが測定できる。